(57)【要約】【課題】  導線を使用することなく、簡単な構造で、発光体のオン／オフをスライド部の伸縮により自動で行うスライド型ペンライトの提供にある。【解決手段】  持ち手部２から延出しているスライド部３と、持ち手部２からスライド部３の内空部に延出した突起部７と、スライド部３から延出している電力供給部４と、電力供給部４の先端に設けられた発光体５とを具備し、電力供給部４は、プラス端子４ｃと、固定端子４１と可動端子４２とから構成されたマイナス端子４ｄを備え、スライド部３が伸びた状態においては、可動端子４２は固定端子４１と接触状態をなし、スライド部３が縮んだ状態においては、突起部７が可動端子４２を固定端子４１から引き離すことにより、可動端子４２は固定端子４１と非接触状態をなすことを特徴とする。【選択図】  図４
2009004224.tif 000002
【特許請求の範囲】
【請求項１】
持ち手部と、
前記持ち手部から延出している伸縮自在なスライド部と、
前記持ち手部から前記スライド部の内空部に所定の長さ延出した突起部と、
前記スライド部から更に延出している電力供給部と、
前記電力供給部の先端に設けられ、前記電力供給部からの電力により発光する発光体と
を具備し、
前記電力供給部は、長手方向の両端部にプラス端子とマイナス端子が対向して設けられ、
前記持ち手部の側に設けられた前記プラス端子若しくは前記マイナス端子は、長手方向に接離可能な固定端子と可動端子とから構成され、
前記スライド部が伸びた状態においては、前記可動端子は前記固定端子と所定の接圧にて接触状態をなして導通し、
前記スライド部が縮んだ状態においては、前記突起部が前記可動端子を前記固定端子から離れる方向に押し上げることにより、前記可動端子は前記固定端子と非接触状態をなし非導通となる
ことを特徴とするスライド型ペンライト。
【請求項２】
前記可動端子はバネ材の反力により前記固定端子に接触なされ、
前記突起部が、当該反力に逆らって、前記可動端子を前記固定端子から離れる方向に押し上げる
ことを特徴とする請求項１に記載のスライド型ペンライト。
【発明の詳細な説明】
【技術分野】
【０００１】
本発明は、縮んだ状態では発光体は自動的に消灯状態となり、伸ばした状態では自動的に発光状態となるスライド型ペンライトに関する。
【背景技術】
【０００２】
従来のスライド型ペンライトとしては、持ち手部側にスイッチを備え、スライド部の内空部に導線が延出し、スライド部の先端に設けられた発光体と接続されているものがあった（例えば、特許文献１参照）。
【０００３】
【特許文献１】特開２００１−１７６３０１号公報
【発明の開示】
【発明が解決しようとする課題】
【０００４】
上述した従来のスライド型ペンライトでは、発光体のオン／オフにスイッチ操作が必要であり、利便性に難があった。また、縮んだ状態では、導線が座屈状態となり得るため、繰り返しの使用により、導線が切断（断線）されてしまうなど、耐久性に難があった。
【０００５】
一方、このような導線が切断されてしまうという問題を解決するために、スライド部を２重構造とし、導線の代わりに内側に位置するスライド部を導体として利用するものが提案されていた。
【０００６】
しかしながら、このようにスライド部を２重構造とすることは、構造が複雑となり、その結果、製造コストが高くなってしまうという問題があった。
【０００７】
本発明は、上記課題を解決する為になされたものであり、導線を使用することなく、簡単な構造で、発光体のオン／オフをスライド部の伸縮により自動で行うスライド型ペンライトの提供にある。
【課題を解決するための手段】
【０００８】
請求項１に記載の発明は、持ち手部と、前記持ち手部から延出している伸縮自在なスライド部と、前記持ち手部から前記スライド部の内空部に所定の長さ延出した突起部と、前記スライド部から更に延出している電力供給部と、前記電力供給部の先端に設けられ、前記電力供給部からの電力により発光する発光体とを具備し、前記電力供給部は、長手方向の両端部にプラス端子とマイナス端子が対向して設けられ、前記持ち手部の側に設けられた前記プラス端子若しくは前記マイナス端子は、長手方向に接離可能な固定端子と可動端子とから構成され、前記スライド部が伸びた状態においては、前記可動端子は前記固定端子と所定の接圧にて接触状態をなして導通し、前記スライド部が縮んだ状態においては、前記突起部が前記可動端子を前記固定端子から離れる方向に押し上げることにより、前記可動端子は前記固定端子と非接触状態をなし非導通となることを特徴とする。
【０００９】
請求項２に記載の発明は、請求項１に記載のスライド型ペンライトにおいて、前記可動端子はバネ材の反力により前記固定端子に接触なされ、前記突起部が、当該反力に逆らって、前記可動端子を前記固定端子から離れる方向に押し上げることを特徴とする。
【発明の効果】
【００１０】
本発明は、上記の構成としたことにより、以下の効果を奏する。
【００１１】
請求項１の発明によれば、スライド部の先端から延出した電力供給部及び発光体を備えているため、持ち手部から発光体に向けて、スライド部の内空部に導線を延出させる必要がなく、その結果、耐久性に優れる。
【００１２】
また、スライド部が伸びた状態では、固定端子と可動端子が接触（導通）状態となり、縮んだ状態では、突起部が可動端子を押し上げて、固定端子と可動端子が非接触（非導通）状態となるため、スイッチ操作を必要とせず、スライド部の伸縮により、自動的に発光体のオン／オフを行うことができる。
【００１３】
請求項２の発明によれば、可動端子はバネ材の反力により、所定の接圧にて固定端子に接触されているため、スライド部の伸縮に追従して、突起部により当該バネ材の反力に逆らって、可動端子を固定端子から引き離すことができる。よって、簡単な構成でありながらも、スライド部の伸縮により、可動端子と固定端子の接触／非接触を切り換えることができる。
【発明を実施するための最良の形態】
【００１４】
実施の形態．
以下、本発明に係るスライド型ペンライトの一実施形態について、図面に基づいて説明する。なお、本実施形態におけるスライド型ペンライトは、発光体の近傍にミラー（必要に応じてプリズムミラー）を設けて構成され、例えば、暗くて狭い場所での下水管の埋設作業、内部検査、汚物（異物）の有無検査などの使用に好適なものとしている。
【００１５】
図１は、本発明に係る一実施形態のスライド型ペンライトの伸びた状態を示す側面図である。図２は、図１に示すスライド型ペンライトの部分縦断面図である。図３は、本発明に係る一実施形態のスライド型ペンライトの縮んだ状態を示す側面図である。図４は、図３に示すスライド型ペンライトの部分縦断面図である。
【００１６】
図１〜図４において、１はスライド型ペンライトである。以下、スライド型ペンライト１の構成について説明する。
【００１７】
２は利用者が手でスライド型ペンライト１を保持して使用するための持ち手部である。
【００１８】
３は持ち手部２から伸縮自在に延出したスライド部であり、内部は中空となっている。
【００１９】
４はスライド部３から更に延出した電力供給部であり、内部に乾電池などの電力供給源４ａが備えられている。
【００２０】
５は電力供給部４の先端に設けられた発光体であり、本実施の形態では、電球あるいはＬＥＤ（Light Emitting Diode）が使用されている。
【００２１】
６はスライド型ペンライト１の先端部、すなわち、発光体５の近傍に設置されたミラー（必要に応じてプリズムミラー）である。本実施形態におけるスライド型ペンライト１は上述した通り、下水管の埋設作業、内部検査、汚物（異物）の有無検査などの使用に好適なものであり、スライド型ペンライト１を伸ばし、発光体５からミラー６に光を照射した状態で使用することにより、暗くて狭い場所でも利便性良く作業を行うことができる。
【００２２】
７は持ち手部２からスライド部３の内空部に所定の長さ延出した突起部である。
【００２３】
以下、電力供給部４の構造について、詳細に説明する。
【００２４】
４ｂは電力供給部４の筐体であり、導電性を有する金属で形成されている。４ｃはプラス端子である。４ｄはマイナス端子であり、固定端子４１とバネ材（コイルバネ）４ｅにより固定端子４１に圧接なされる可動端子４２から構成されている。
【００２５】
すなわち、発光体５は、電力供給源４ａのプラス極からプラス端子４ｃ、導体として機能する筐体４ｂ、マイナス端子４ｄ（固定端子４１及び可動端子４２）、バネ材４ｅ、電力供給源４ａのマイナス極の順に電流が流れることにより発光する。なお、プラス端子４ｃとマイナス端子４ｄが逆になった構成も成り立つことは言うまでもない。
【００２６】
図２に示す通り、スライド型ペンライト１が伸びた状態では、バネ材４ｅの反力により可動端子４２が固定端子４１に圧接なされ、導通状態となっている。
【００２７】
一方、図４に示す通り、スライド型ペンライト１が縮んだ状態では、可動端子４２が突起部７により固定端子４１から引き離され、非導通状態となっている。
【００２８】
すなわち、スライド部３を縮めていくと、やがて突起部７が可動端子４２に当接し、その後更に縮めていくと、バネ材４ｅの反力に逆らいながら、突起部７により可動端子４２は押し上げられ、固定端子４１から離れる。
【００２９】
次に、スライド部３を伸ばしていくと、突起部７が可動端子４２から離れていくため、可動端子４２はバネ材４ｅの反力により、固定端子４１の側に押し戻され、やがて接触（導通）状態となる。
【００３０】
以上に説明した通り、本実施形態に係るスライド型ペンライト１では、スライド部３の先端から延出した電力供給部４及び発光体５を備えているため、持ち手部２から発光体５に向けて、スライド部３の内空部に導線を延出させる必要がなく、その結果、耐久性に優れる。
【００３１】
また、スライド部３が伸びた状態では、固定端子４１と可動端子４２が接触（導通）状態となり、縮んだ状態では、突起部７が可動端子４２を押し上げて、固定端子４１と可動端子４２が非接触（非導通）状態となるため、スイッチ操作を必要とせず、スライド部３の伸縮により、自動的に発光体５のオン／オフを行うことができる。したがって、利便性豊かなスライド型ペンライト１が実現できる。
【００３２】
そして、可動端子４２はバネ材４ｅの反力により、所定の接圧にて固定端子４１に接触されているため、スライド部３の伸縮に追従して、突起部７によりバネ材４ｅの反力に逆らって、可動端子４２を固定端子４１から引き離すことができる。よって、簡単な構成でありながらも、スライド部３の伸縮により、可動端子４２と固定端子４１の接触／非接触を切り換えることができる。
【図面の簡単な説明】
【００３３】
【図１】本発明に係る一実施形態のスライド型ペンライトの伸びた状態を示す側面図である。
【図２】図１に示すスライド型ペンライトの部分縦断面図である。
【図３】本発明に係る一実施形態のスライド型ペンライトの縮んだ状態を示す側面図である。
【図４】図３に示すスライド型ペンライトの部分縦断面図である。
【符号の説明】
【００３４】
１  スライド型ペンライト
２  持ち手部
３  スライド部
４  電力供給部
４ｃ  プラス端子
４ｄ  マイナス端子
４ｅ  バネ材
５  発光体
７  突起部
４１  固定端子
４２  可動端子
【図１】
2009004224.tif 000003
【図２】
2009004224.tif 000004
【図３】
2009004224.tif 000005
【図４】
2009004224.tif 000006